(57)【要約】  【課題】所定のカラオケ利用者に対し、その利用者が所望する合唱相手が同席していない場合であっても、その合唱相手が予め録音した歌唱音声をもって、好みのデュエット楽曲を歌唱できることを、その利用者の利用時に好適に紹介することができるカラオケシステムの提供。  【解決手段】任意の利用者が選択したデュエット楽曲について、当該利用者ＩＤを紐付けして、その所望する合唱相手を所定の合唱相手登録部にて登録し、登録された合唱相手による当該デュエット楽曲における何れかの歌唱パートの歌唱音声が所定の歌唱音声記録部に記録されると、その利用者がシステムに現在ログインしていることが識別された際、その該当する楽曲に関する情報を選曲可能に表示させるようにするシステムを構築した。【選択図】図１
2006208961.tif 000002
【特許請求の範囲】
【請求項１】
（ア）複数のデュエット楽曲を保持してなり、
（イ）システムにログインしている利用者ＩＤを識別するための利用者ＩＤ識別手段と、
（ウ）任意の利用者が選択したデュエット楽曲について、当該利用者ＩＤを紐付けして、その所望する合唱相手を所定の合唱相手登録部にて登録するための合唱相手登録手段と、
（エ）前記合唱相手登録部に登録された合唱相手による前記選択したデュエット楽曲における何れかの歌唱パートの歌唱音声を、その対応するデュエット楽曲の演奏時に、当該演奏と同調させて再生可能に所定の歌唱音声記録部に記録するための歌唱音声記録手段と、
（オ）前記保持された複数のデュエット楽曲の内、現在ログインしている利用者ＩＤに紐付けされ、前記合唱相手登録部に登録されたデュエット楽曲について、前記歌唱音声記録部に、当該デュエット楽曲における何れかの歌唱パートの前記合唱相手による歌唱音声が記録されている場合、その該当する楽曲に関する情報を選曲可能に表示するための楽曲情報表示手段と、
（カ）これら機能手段を統括的に制御するための中央制御手段と、
を有してなることを特徴とするカラオケシステム。
【発明の詳細な説明】
【技術分野】
【０００１】
本発明は、所定のカラオケ利用者に対し、合唱相手が同席していない場合であっても、歌唱可能なデュエット楽曲を好適に紹介するカラオケシステムに関する。
【背景技術】
【０００２】
現在、カラオケ利用の際、利用者に対してお勧めの楽曲として紹介し、選曲を効率的にできるシステムが確立している。具体的には、選曲可能に楽曲コードや曲名、アーティスト名などを表記し、楽曲と楽曲の演奏の合間に新譜情報やヒット曲情報を紹介している。本発明は、デュエット楽曲を選曲可能に紹介するものであるが、従来のデュエット楽曲については、お勧め楽曲に含まれるものもあるが、これを積極的に紹介するような仕組みはなかった。
【０００３】
従来、デュエット楽曲に関する技術も多々想到されてきた。例えば、特許文献１では、デュエットを希望する利用者が特別な操作を行わなくても、予め設定した所定条件に基づいて、デュエットパートナーとなるカラオケ演奏装置を自動的に選択するシステム、特許文献２では、１人の音声をマイクから入力しても、あたかもデュエットをしているような出力を得ることができる音声処理装置、特許文献３では、その場に居合わせない様々な人の中から選んだ人の歌声を相手にデュエットができるシステムなどが想到されている。
【０００４】
【特許文献１】特開２００３−３４５３６６号公報
【特許文献２】特開平５−１４３０８８号公報
【特許文献３】特開２００１−４２８７８号公報
【発明の開示】
【発明が解決しようとする課題】
【０００５】
利用者が好みのデュエット楽曲（なお、本発明はデュオ楽曲も同義とする）を歌唱したくても合唱相手（デュエットパートナー）が同席していない場合、上記特許文献１〜３のような技術を用いれば対処療法的には対応できるが、利用者は特に自らが所望する合唱相手と歌唱したいのが人情である。従来では、歌唱音声を録音する技術や録音された歌唱音声をその対応するデュエット楽曲と同調させて再生する技術はあるものの、現在でも、利用者が好みのデュエット楽曲における所定の歌唱パートについて、利用者ＩＤが紐付けされたその合唱相手を特定して録音するサービスはなく、さらに、この場合であっても、合唱相手が何時でも録音できるものとは限らず、何時になったらこのサービスを受けられるものか分からないという不都合がある。
【０００６】
そこで、本発明は、所定のカラオケ利用者に対し、その利用者が所望する合唱相手が同席していない場合であっても、その合唱相手が予め録音した歌唱音声をもって、好みのデュエット楽曲を歌唱できることを、その利用者の利用時に好適に紹介することができるカラオケシステムの提供を課題とする。
【課題を解決するための手段】
【０００７】
上記課題を鑑み、本発明者らは、任意の利用者が選択したデュエット楽曲について、当該利用者ＩＤを紐付けして、その所望する合唱相手を所定の合唱相手登録部にて登録し、登録された合唱相手による当該デュエット楽曲における何れかの歌唱パートの歌唱音声が所定の歌唱音声記録部に記録されると、その利用者がシステムに現在ログインしていることが識別された際、その該当する楽曲に関する情報を選曲可能に表示させるようにしたことで、上記課題を解決できることを見出し、本発明のカラオケシステムを想到した。
【０００８】
すなわち、本発明のカラオケシステムは、
（ア）複数のデュエット楽曲を保持してなり、
（イ）システムにログインしている利用者ＩＤを識別するための利用者ＩＤ識別手段と、
（ウ）任意の利用者が選択したデュエット楽曲について、当該利用者ＩＤを紐付けして、その所望する合唱相手を所定の合唱相手登録部にて登録するための合唱相手登録手段と、
（エ）前記合唱相手登録部に登録された合唱相手による前記選択したデュエット楽曲における何れかの歌唱パートの歌唱音声を、その対応するデュエット楽曲の演奏時に、当該演奏と同調させて再生可能に所定の歌唱音声記録部に記録するための歌唱音声記録手段と、
（オ）前記保持された複数のデュエット楽曲の内、現在ログインしている利用者ＩＤに紐付けされ、前記合唱相手登録部に登録されたデュエット楽曲について、前記歌唱音声記録部に、当該デュエット楽曲における何れかの歌唱パートの前記合唱相手による歌唱音声が記録されている場合、その該当する楽曲に関する情報を選曲可能に表示するための楽曲情報表示手段と、
（カ）これら機能手段を統括的に制御するための中央制御手段と、
を有してなることを特徴とする。
【発明の効果】
【０００９】
本発明のカラオケシステムによれば、任意の利用者により登録された合唱相手による所定のデュエット楽曲における何れかの歌唱パートの歌唱音声が、所定の歌唱音声記録部に記録されると、その利用者がシステムに現在ログインしていることが識別された場合、その該当する楽曲に関する情報を選曲可能に表示させるようにしたことで、その利用者が所望する合唱相手が同席していない場合であっても、登録された合唱相手が予め録音した歌唱音声をもって、好みのデュエット楽曲を歌唱できることを、その利用者の利用時に好適に紹介できるといった効果を奏する。
【発明を実施するための最良の形態】
【００１０】
以下、本発明のカラオケシステムにつき、好適な実施例を挙げて説明するが、先ず、図１に示す、本発明のカラオケシステムを具備したカラオケ演奏装置のブロック構成図と、図２に示す、カラオケ演奏装置が付帯するリモコン装置の正面斜視図と、図３に示す、利用者別ログイン・ログアウト指示のインタフェイス表示画面に基づき、本発明のカラオケシステムにおける各機能手段について詳述する。
【実施例１】
【００１１】
先ず、図１に示す、本発明のカラオケシステムを具備したカラオケ演奏装置（Ｐ）に基づき説明する。カラオケ演奏装置（Ｐ）は、主に、本発明のカラオケシステムを含め、カラオケシステム全体を統括的に制御する中央制御手段（１）とこれに接続された各種機器にて構成されている。すなわち、この中央制御手段（１）には、カラオケホスト装置との通信を制御するための通信制御手段（１３）や、リモコン装置（Ｒ）から演奏装置本体への操作信号を処理するための操作制御手段（１５）の他、利用者の歌唱音声を録音するための歌唱音声記録手段（１２）、合唱相手を登録するための合唱相手登録手段（１７）、および楽曲に関する情報を選曲可能に表示するための楽曲情報表示手段（１６）などが内蔵されて、これらを統括的に制御すると共に、ハードディスク（２）、ＲＡＭ（３）、音源（５）、ミキサ（６）、サウンドシステム（７）、ＰＣＭデコーダ（８）、ＭＰＥＧデコーダ（１０）、合成回路（１１）、利用者ＩＤ識別手段であるＩＤカード読み取り／書き込み装置（４）などが接続されている。
【００１２】
ここで、カラオケ演奏装置（Ｐ）の構成要素について少々詳述する。先ず、音源（５）は、中央制御手段（１）が実行するシーケンサ（１４）における楽曲シーケンサの処理によって入力された演奏データに応じて楽音信号を形成する。形成された楽音信号はミキサ（６）に入力され、このミキサ（６）は、音源（５）が発生した複数の楽音信号やカラオケマイク（Ｍ）と、Ａ／Ｄコンバータ（９）を介して入力された利用者の歌唱音声信号を適当なバランスでミキシングする。ミキシングされたデジタル音声信号はサウンドシステム（７）に入力される。このサウンドシステム（７）はパワーアンプを備え、入力されたデジタル信号をアナログ信号に変換して増幅し、スピーカ（Ｓ）から楽音と歌唱音声を放音する。
【００１３】
次に、歌唱音声記録手段（１２）について述べる。音響入力インタフェイスは二系統設定されており、所定のカラオケ楽曲の演奏中、第１音響入力インタフェイス（図示省略）は演奏データに応じた音響信号を取得し、また、第２音響入力インタフェイス（図示省略）はマイク入力からの歌唱音声信号を取得する。歌唱音声記録手段（１２）は、第２音響入力インタフェイスからの音響信号のみを抽出し、ＰＣＭデータ変換した後に録音データとし、これを一旦、ＲＡＭ（３）に録音データとして記録した後、ハードディスク（２）に設けられた歌唱音声記録部（２２）に歌唱音声データ（２２ａ）として記録する。
【００１４】
ハードディスク（２）に記録されている映像データ（２０）は、ＭＰＥＧ形式にエンコードされており、中央制御手段（１）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像信号に変換して合成回路（１１）に入力し、この合成回路（１１）はこの背景映像の映像信号上に歌詞テロップや採点表示などのＯＳＤを合成し、合成された映像信号は表示手段（Ｄ１）やリモコン装置（Ｒ）付帯のＬＣＤ（Ｄ２）に表示される。
【００１５】
シーケンサ（１４）はハードディスク（２）に記録されている楽曲コード（１８）に紐付けされた演奏データ（１９）を読み出す。勿論、本発明では、この演奏データ（１９）には、多数のデュエット楽曲のものが含まれている。そして、このシーケンサ（１４）は主に楽曲シーケンサおよび歌詞シーケンサからなっており、楽曲シーケンサは演奏データ中の演奏データトラック、ガイドメロディトラックなどのトラックデータを読み出し、このデータで音源（５）を制御することでカラオケ楽曲の演奏を行い、一方、歌詞シーケンサは文字パターン作成手段を備えており、演奏データ中の歌詞トラックのデータを読み出し、このデータに基づいて歌詞テロップの画像パターンを作成して、これを合成回路（１１）に出力する。
【００１６】
本実施例では、利用者ＩＤの識別やシステムへのログインを認識するためには、利用者ＩＤ識別手段（４）とリモコン装置（Ｒ）が利用される。本実施例のリモコン装置（Ｒ）は、その内蔵２次電池に充電するための専用架台（図示省略）を必要とするが、この専用架台に利用者ＩＤ識別手段（４）が付帯されている。なお、本実施例の利用者ＩＤ識別手段は、非接触のＩＣモジュールを搭載したＩＤカードの読み取り／書き込み装置であり、カードＩＤに紐付けされた利用者ＩＤを特定するものである。ただし、本発明はこれに限らず、例えば、ＩＣモジュールを携帯電話に内蔵させたＩＣ機能付き携帯電話や、近距離無線通信手段であるブルートゥース（blue tooth）機構を有する携帯電話、あるいは、パスワードの入力装置や指紋や声紋などの生体識別機能に依る機構の利用者ＩＤ識別手段を利用しても構わない。
【００１７】
図２に示すように、本実施例のリモコン装置（Ｒ）の正面には、タッチセンサを積層した液晶ディスプレイ（ＬＣＤ；Ｄ２）を主体とした利用者インタフェイスが備えられ、ＧＵＩ（Graphical User Interface）環境を提供し、このＧＵＩ環境による対話を通じて楽曲索引データベース（図示省略）を検索し、その結果を表示出力させることで検索機能を実現している。なお、その背面の下方所定部にはＬＡＮポート（図示省略）が設けられており、ＬＡＮ接続ケーブルを介してカラオケ演奏装置に各種データが送信される。
【００１８】
次に、図３は、このリモコン装置（Ｒ）が付帯するＬＣＤによる利用者インタフェイスを利用した利用者別ログイン・ログアウト指示の表示画面（Ｄ２）である。この表示画面（Ｄ２）には、利用者別顔写真付きアイコン列（３０）やカラオケシステムへのログインをするための「ログイン」アイコン（３１）、ログアウトをするための「ログアウト」アイコン（３２）などが設けられている。このリモコン装置を前述した専用架台に装着した状態で、先ず、「ログイン」アイコン（３１）を選択した後、当該専用架台に付帯したＩＤカードの読み取り／書き込み装置（利用者ＩＤ識別手段）に自らのＩＤカードを装填することにより、これに紐付けされた利用者ＩＤが識別されると同時にシステムへのログインが認識される。
【００１９】
ログインが認識されると、カラオケホスト装置に予め登録された利用者の顔写真あるいは予め登録されていない場合、デジタルカメラ機能を使って撮影した利用者の顔写真を新たに登録して、順次、所定の利用者別顔写真付きアイコン（３０ａ）が利用者毎に掲載された利用者識別用インタフェイスが作成される。この利用者別顔写真付きアイコン列（３０）に利用者別顔写真付きアイコン（３０ａ）が形成された場合、それぞれを現在ログインしている利用者として見なし、例えば、図１において、楽曲情報表示手段（１６）が、現在ログインしている所定の利用者に対し、デュエット楽曲に関する情報を選曲可能に表示したり、任意の利用者が所定のデュエット楽曲の合唱相手を登録する際、合唱相手登録手段（１７）は、その利用者が自らの利用者別顔写真付きアイコン（３０ａ）を選択することで、当該利用者を特定することもできる。
【００２０】
次に、図４に示す、合唱相手登録用のインタフェイス表示画面と、図５に示す、利用者別合唱相手管理テーブルの概念的構成図に基づき、本発明における合唱相手登録手段および、利用者による合唱相手の登録手順について詳述する。
【００２１】
先ず、図４は、リモコン装置（Ｒ）が付帯するＬＣＤによる合唱相手登録用のインタフェイス表示画面（Ｄ２）である。利用者は、図３における利用者別顔写真付きアイコン（３０ａ）を選択した後、所定の操作により、この表示画面（Ｄ２）にアクセスできる。この表示画面（Ｄ２）には、任意の利用者が選択したデュエット楽曲について、当該利用者ＩＤを紐付けして、その所望する合唱相手を所定の合唱相手登録部にて登録するための各種の専用アイコンが設けられている。図３における利用者別顔写真付きアイコン（３０ａ）を選択すると、例えば、利用者表示欄（３３）には、その利用者を特定するための顔写真（３３ａ）と共に予め登録されている利用者の氏名やニックネームなどが表示される。
【００２２】
上記特定された利用者は、先ず、所望するデュエット楽曲を、デュエット楽曲指定欄（３４）の楽曲コード入力部（３４ａ）への楽曲コード入力により選択し、さらに、そのデュエット楽曲において、合唱相手に歌唱してもらいたい歌唱パート（男性パートまたは女声パート）を歌唱パート種別欄（３４ｂ）の選択により指定する。なお、本実施例では、特定された利用者の予めの性別の属性情報から、その利用者に対する異性の歌唱パートが自動的にデフォルト設定される。次に、合唱相手の登録は、合唱相手登録欄（３５）への入力によって行われるが、本実施例では、合唱相手のＩＤカードなどに記載された所定のＩＤ番号を手入力するか、合唱相手が同席している場合には、そのＩＤカードを利用し、前述したように、利用者ＩＤ識別手段をもって自動入力する。なお、この合唱相手登録欄（３５）には、合唱相手が入力される度、その氏名やニックネームも表示されるように構成されている。そして、利用者が合唱相手を入力し終わった状態で「登録」アイコン（３６）を選択すると、図１における合唱相手登録手段（１７）は、ハードディスク（２）内の合唱相手登録部（２１）に設けられている利用者別合唱相手管理テーブル（Ｔ１）に、当該利用者ＩＤを紐付けして、その所望する合唱相手を登録する。
【００２３】
ここで、図５に基づき、利用者別合唱相手管理テーブル（Ｔ１）について詳述する。この管理テーブル（Ｔ１）は、利用者が所望するデュエット楽曲を選択し、合唱相手を登録する度、各レコードが生成される。この管理テーブル（Ｔ１）は、主に、各レコードを特定するための「番号」フィールド（ｆ１）、登録する利用者を特定するための「利用者ＩＤ」フィールド（ｆ２）、当該利用者が選択したデュエット楽曲を特定するための「楽曲コード」フィールド（ｆ３）、当該楽曲における男性パートないし女性パート（デュオの場合は第１パート、第２パート）の何れかの歌唱パートの種別を表す「種別」フィールド（ｆ４）、合唱相手を特定するためであり、複数の登録合唱相手を表す「合唱相手ａＩＤ」フィールド（ｆ５ａ）と「合唱相手ｂＩＤ」フィールド（ｆ５ｂ）、当該登録がなされた日時を表す「登録日時」フィールド（ｆ６）などから構成されている。
【００２４】
次に、図６に示す、利用者別歌唱音声管理テーブルの概念的構成図と、図７に示す、デュエット楽曲の紹介画面例図と、図８に示す、合唱相手指定用のインタフェイス表示画面に基づき、本発明における楽曲情報表示手段によるデュエット楽曲に関する情報の選曲可能な表示について詳述する。
【００２５】
登録された合唱相手は、適宜の時期に、利用者が選択したデュエット楽曲における所定の歌唱パートを歌唱した場合、図１において、歌唱音声記録手段（１２）は、ハードディスク（２）に設けられた歌唱音声記録部（２２）に、その歌唱音声データ（２２ａ）を記録する。この歌唱音声記録部（２２）には、利用者別歌唱音声管理テーブル（Ｔ２）が設けられている。
【００２６】
ここで、図６に基づき、利用者別歌唱音声管理テーブル（Ｔ２）について詳述する。この管理テーブル（Ｔ２）は、前述した利用者別合唱相手管理テーブル（Ｔ１）に対応しており、その主な構成は、利用者別合唱相手管理テーブル（Ｔ１）に対応して、管理テーブル（Ｔ１）と共通した各レコードを特定するための「番号」フィールド（ｆ１）、登録する利用者を特定するための「利用者ＩＤ」フィールド（ｆ２）、当該利用者が選択したデュエット楽曲を特定するための「楽曲コード」フィールド（ｆ３）、当該楽曲における男性パートないし女性パートの何れかの歌唱パートの種別を表す「種別」フィールド（ｆ４）、合唱相手を特定するためであり、本実施例では２人までの登録合唱相手を表す「合唱相手ａＩＤ」フィールド（ｆ５ａ）と「合唱相手ｂＩＤ」フィールド（ｆ５ｂ）に加え、「合唱相手ａＩＤ」フィールド（ｆ５ａ）に対応した歌唱音声データを特定するための「録音ａ」フィールド（ｆ７ａ）と「合唱相手ｂＩＤ」フィールド（ｆ５ｂ）に対応した歌唱音声データを特定するための「録音ｂ」フィールド（ｆ７ｂ）などからなる。「録音ａ」フィールド（ｆ７ａ）と「録音ｂ」フィールド（ｆ７ｂ）のそれぞれは、特定された歌唱音声データに紐付けされ、その対応するデュエット楽曲の演奏時に、当該演奏と同調させて再生される。
【００２７】
楽曲情報表示手段は、現在ログインしている利用者ＩＤに紐付けされ、合唱相手登録部に登録されたデュエット楽曲について、歌唱音声記録部に、当該デュエット楽曲における何れかの歌唱パートの前記合唱相手による歌唱音声が記録されている場合、その該当する楽曲に関する情報を選曲可能に表示する。図７は、その紹介画面例であり、この条件を満たした利用者が現在ログインしている場合、当該利用者に対して楽曲と楽曲の演奏間に、所定の表示手段（Ｄ１）に、お勧めの楽曲として、選曲を効率的にできるようにデュエット楽曲を紹介する。その表示タイミングおよび表示形式としては、具体的には、背景映像や歌詞テロップを映し出すもので、本実施例では、楽曲演奏の前後に、お勧め楽曲の紹介情報として、「○○○○さんの登録デュエット曲」と題され、登録した利用者表示部（４０）を設け、デュエット楽曲それぞれの曲名、楽曲コード、男女何れかの歌唱パートを歌唱した合唱相手の氏名ないしニックネームを含んだ楽曲情報（４１）を表示し、利用者は、好みのデュエット楽曲の楽曲コードを利用すれば、所定の選曲操作に基づき、その選曲ができるように構成されている。
【００２８】
なお、本実施例では、同一デュエット楽曲につき、複数の合唱相手を登録できるため、複数の歌唱音声が記録されている場合、何れかの歌唱音声を指定できるように構成されている。例えば、図８は、リモコン装置（Ｒ）が付帯するＬＣＤによる合唱相手指定用のインタフェイス表示画面（Ｄ２）であるが、この表示画面（Ｄ２）へは、利用者は、図３における利用者別顔写真付きアイコン（３０ａ）を選択した後、所定の操作によりアクセスができる。この表示画面（Ｄ２）には、利用者が所望するデュエット楽曲について、当該利用者が所望する合唱相手を指定するための各種の専用アイコンが設けられている。
【００２９】
例えば、利用者表示欄（３３）には、その利用者を特定するための顔写真（３３ａ）と共に、予め登録されている利用者の氏名やニックネームなどが表示される。また、デュエット楽曲表示欄（４１）には、その楽曲のタイトル表示（４１ａ）や合唱相手が歌唱した歌唱パートを表す歌唱パート種別欄（３４ｂ）が設けられる。そして、合唱相手指定欄（４２）には、合唱相手ＩＤに基づき、その顔写真が登録されている場合には、顔写真表示部（４２ａ）に顔写真が表示されると共に、合唱相手指定用アイコン（４２ｂ）には、その合唱相手の氏名やニックネームが表示される。利用者は、所望する合唱相手指定用アイコン（本実施例では白黒反転で示す）を選択し、「指定」アイコン（４３）を選択することで、所望の合唱相手の歌唱音声を指定できる。
【００３０】
以下、図９に示す、カラオケホスト装置を含めた本発明のカラオケシステムの全体構成図と、図１０に示す、カラオケホスト装置のブロック構成図に基づき、本発明の別の実施例について説明する。
【実施例２】
【００３１】
図９に示すように、本実施例のカラオケシステムは、主に、カラオケボックスの店舗内に設置された複数のカラオケルーム（Ｋ，Ｋ…）のそれぞれに備えられたカラオケ演奏装置（Ｐ，Ｐ…）と、これらと店舗内ＬＡＮ上のルータから、ＡＤＳＬやＩＳＤＮといった通信回線（Ｎ）を介してインターネット（Ｎｉ）におけるカラオケ事業者が管理するＶＰＮ（Virtual Private Network）にて接続された、通信カラオケシステム用のカラオケホスト装置（Ｈ）からなる。各カラオケ演奏装置（Ｐ）は、ネットワークインタフェイスを介して店舗ＬＡＮおよびＶＰＮに接続してカラオケホスト装置（Ｈ）と交信する。例えば、当該ホスト装置（Ｈ）から送付された利用者の性別情報を受け取ったり、カラオケ演奏装置（Ｐ）側にて収集される利用者データを当該ホスト装置（Ｈ）に送信したりする。
【００３２】
具体的には、本実施例では、店舗内に１００ＢＡＳＥ−Ｔ規格のEthernet（登録商標）によるＬＡＮが敷設されており、このＬＡＮ上の各カラオケ演奏装置（Ｐ）はルータを介してインターネット（Ｎｉ）上のＶＰＮからカラオケホスト装置（Ｈ）に接続している。また、ＬＡＮ上のコンピュータ間の通信にもＴＣＰ／ＩＰが採用されており、ルータは、その内蔵するＤＨＣＰ（Dynamic Host Configuration Protocol）サーバ機能によって、ＬＡＮに接続されている各カラオケ演奏装置（Ｐ）にＩＰアドレスを割り当て、各演奏装置（Ｐ）のＭＡＣ（Media Access Control）アドレスとＩＰアドレスとを対応付けしたテーブルを作成して記憶している。
【００３３】
各カラオケ演奏装置（Ｐ）には、前述したように、楽曲検索機能を備えたカラオケリモコン装置（Ｒ）が付帯されており、このリモコン装置（Ｒ）をもって、利用者は赤外線信号によりカラオケ演奏装置（Ｐ）に所望の演奏予約コマンドを送信する。本実施例のリモコン装置（Ｒ）はその内蔵２次電池に充電するための専用架台（Ｃ）を必要とするが、この専用架台（Ｃ）には、充電手段の他、利用者ＩＤを識別し、当該利用者のログインを識別するための利用者ＩＤ識別手段が付帯されている。
【００３４】
図１０に示すように、本実施例におけるカラオケホスト装置（Ｈ）は、カラオケ演奏装置と同様に、装置全体を統括的に制御する中央制御手段（５１）や、各種情報を記録するためのハードディスク（５２）などを具備し、このホスト装置（Ｈ）に接続された如何なるカラオケ演奏装置（Ｐ）からも、通信制御インタフェイス（５０）を介して、任意のカラオケ演奏装置（Ｐ）にログインした利用者情報に基づき、実施例１と同様に、ハードディスク（５２）には合唱相手登録部（５３）および歌唱音声記録部（５４）が設けられ、さらに、前者には、利用者別合唱相手管理テーブル（Ｔ３）が、後者には、歌唱音声データ（５４ａ）と利用者別歌唱音声管理テーブル（Ｔ４）設けられる。この構成によれば、ログインした利用者情報を、このホスト装置に接続された如何なるカラオケ演奏装置からも採取でき、その情報に反映できると共に、如何なるカラオケ演奏装置であってもサービスを還元できるため、利用者への当該システム利用によるサービス面が大きく向上されることになる。
【００３５】
以上、詳述したように、本発明のカラオケシステムによれば、任意の利用者により登録された合唱相手による所定のデュエット楽曲における何れかの歌唱パートの歌唱音声が、所定の歌唱音声記録部に記録されると、その利用者がシステムに現在ログインしていることが識別された場合、その該当する楽曲に関する情報を選曲可能に表示させるようにしたことで、その利用者が所望する合唱相手が同席していない場合であっても、登録された合唱相手が予め録音した歌唱音声をもって、好みのデュエット楽曲を歌唱できることを、その利用者の利用時に好適に紹介できる。
【図面の簡単な説明】
【００３６】
【図１】本発明のカラオケシステムを具備したカラオケ演奏装置のブロック構成図。
【図２】カラオケ演奏装置が付帯するリモコン装置の正面斜視図。
【図３】利用者別ログイン・ログアウト指示のインタフェイス表示画面。
【図４】合唱相手登録用のインタフェイス表示画面。
【図５】利用者別合唱相手管理テーブルの概念的構成図。
【図６】利用者別歌唱音声管理テーブルの概念的構成図。
【図７】デュエット楽曲の紹介画面例図。
【図８】合唱相手指定用のインタフェイス表示画面。
【図９】カラオケホスト装置を含めた本発明のカラオケシステムの全体構成図。
【図１０】カラオケホスト装置のブロック構成図。
【符号の説明】
【００３７】
１，５１  中央制御手段
２，５２  ハードディスク
４  利用者ＩＤ識別手段
１２  歌唱音声記録手段
１６  楽曲情報表示手段
１７  合唱相手登録手段
２１，５３  合唱相手登録部
２２，５４  歌唱音声記録部
Ｔ１，Ｔ３  利用者別合唱相手管理テーブル
Ｔ２，Ｔ４  利用者別歌唱音声管理テーブル
Ｐ  カラオケ演奏装置
Ｒ  リモコン装置
Ｈ  カラオケホスト装置
Ｄ１  表示手段
Ｄ２  ＬＣＤ
【図１】
2006208961.tif 000003
【図２】
2006208961.tif 000004
【図３】
2006208961.tif 000005
【図４】
2006208961.tif 000006
【図５】
2006208961.tif 000007
【図６】
2006208961.tif 000008
【図７】
2006208961.tif 000009
【図８】
2006208961.tif 000010
【図９】
2006208961.tif 000011
【図１０】
2006208961.tif 000012